(57)【要約】【課題】複雑な現在時刻設定を行う必要がなく簡単にタイマーを設定することができる簡単タイマーを備えた空気調和機の遠隔操作装置を提供する。【解決手段】現在時刻設定を行ってタイマー設定を行う切リアル時刻タイマー３９及び入リアル時刻タイマー４０を有するリアル時刻タイマーと、現在時刻設定を行わずにタイマー設定を行う簡単切タイマー２７及び簡単入タイマー２６を有する簡単タイマーとを備えた。この場合、簡単タイマーとリアル時刻タイマーの組み合わせにおいて、組み合わせるタイマーが同じ入タイマー２６、４０動作の組合せ、または同じ切タイマー２７、３９動作の組合せの場合、先に設定されたタイマーは設定解除となり、後に設定したタイマーのみが設定されるようにした。【選択図】        図２
2006084146.tif 000002
【特許請求の範囲】
【請求項１】
現在時刻設定を行ってタイマー設定を行う切リアル時刻タイマー及び入リアル時刻タイマーを有するリアル時刻タイマーと、現在時刻設定を行わずにタイマー設定を行う簡単切タイマー及び簡単入タイマーを有する簡単タイマーとを備えたことを特徴とする空気調和機の遠隔操作装置。
【請求項２】
簡単タイマーとリアル時刻タイマーの組み合わせにおいて、組み合わせるタイマーが同じ入タイマー動作の組合せ、または同じ切タイマー動作の組合せの場合、先に設定されたタイマーは設定解除となり、後に設定したタイマーのみが設定されることを特徴とする請求項１記載の空気調和機の遠隔操作装置。
【請求項３】
簡単入タイマーと切リアル時刻タイマー、入リアル時刻タイマーと簡単切タイマー、簡単入タイマーと簡単切タイマー、または入リアル時刻タイマーと切リアル時刻タイマーのいずれかを組み合わせて設定することを特徴とする請求項１の空気調和機の遠隔操作装置。
【請求項４】
簡単タイマーの動作時の表示は現在を基準にして経過後の時間表示を行い、リアル時刻タイマーの動作時の表示は実時間での表示を行うことを特徴とする請求項１〜３のいずれかに記載の空気調和機の遠隔操作装置。
【請求項５】
簡単タイマーの操作部は扉上の第一操作部にあり、リアル時刻タイマー操作部は扉下の第二操作部にあることを特徴とする請求項１〜４のいずれかに記載の空気調和機の遠隔操作装置。
【発明の詳細な説明】
【技術分野】
【０００１】
本発明は、空気調和機の遠隔操作装置に係り、より詳しくは、簡単入タイマー機能を搭載することで複雑な現在時刻設定を行わずに簡単に入りタイマーを設定することができる空気調和機の遠隔操作装置に関する。
【背景技術】
【０００２】
従来の空気調和機の遠隔操作装置のタイマー機能は、簡単切タイマーとリアル切時刻タイマーとリアル入時刻タイマーが搭載されており、リアル時刻タイマー設定中に簡単切タイマーを設定すると簡単切タイマーの運転が優先される（例えば、特許文献１参照）。
【０００３】
【特許文献１】特開２００２―１０６９０８号公報（第２頁、図１）
【発明の開示】
【発明が解決しようとする課題】
【０００４】
従来の空気調和機の遠隔操作装置のタイマーでは、切タイマーには簡単切タイマーが搭載されているため、現在時刻設定を行わなくても、簡単切タイマーボタンを押すだけで切タイマーを設定することができた。しかしながら、入タイマーにおいては、簡単入タイマーの搭載がないため、入タイマーを設定する場合、現在時刻設定を行わなければ入タイマーを使うことができないなど、設定が複雑になり、操作性に問題があった。また、およその時間で空気調和機を運転し、時分が決まった時刻に運転を停止したいときに、簡単入タイマーとリアル切タイマーを組み合わせて設定することができないという問題があった。
【０００５】
本発明は、上記のよう課題を解決するためになされたもので、従来の空気調和機の遠隔操作装置の簡単切タイマー機能、切リアル時刻タイマー機能、入リアル時刻タイマー機能に加え、簡単入タイマー機能を搭載することにより、複雑な現在時刻設定を行うことなく、簡単入タイマーボタンを押すだけで容易に入タイマーを設定することができる空気調和機の遠隔操作装置を提供することを目的とする。
また、およその時間で空気調和機を運転し、時分が決まった時刻に運転を停止したいときに、簡単入タイマーとリアル切タイマーを組み合わせて設定することができる空気調和機の遠隔操作装置を提供することを目的とする。
【課題を解決するための手段】
【０００６】
本発明に係る空気調和機の遠隔操作装置は、現在時刻設定を行ってタイマー設定を行う切リアル時刻タイマー及び入リアル時刻タイマーを有するリアル時刻タイマーと、現在時刻設定を行わずにタイマー設定を行う簡単切タイマー及び簡単入タイマーを有する簡単タイマーとを備えたものである。
【発明の効果】
【０００７】
本発明は、簡単切タイマーに加えて簡単入タイマーを搭載したので、タイマーを使用するために現在時刻を設定をするという複雑な操作が不要であり、簡単切タイマー又は簡単入タイマーボタンを押すだけで簡単に切タイマー又は入タイマーを設定することができる。
【発明を実施するための最良の形態】
【０００８】
図１は本発明の一実施の形態における空気調和機とその遠隔操作装置を示す説明図、図２（ａ），（ｂ）は図１の遠隔操作装置の正面図及びその側面図、図３は図２の遠隔操作装置の扉を開放した状態を示す正面図である。図１に示すように、遠隔操作装置Ａによって空気調和器Ｂに信号１が送信され、空気調和器Ｂの運転制御が行われる。
遠隔操作装置Ａは、図２に示すように、上ケース２と下ケース３とからなり、上ケース２の上部にはＬＣＤ銘板４が設けられ、中下部にかけては開閉する扉２０と扉下に位置するスイッチ銘板３０が設けられており、下部には電池５０と電池蓋５１とが設けられ、上ケース２内には遠隔操作装置を制御するマイコン５を実装した基板６が取り付けられている。
【０００９】
遠隔操作装置Ａの上端部には空気調和器Ｂに対して信号送信を行うための赤外ＬＥＤ７が設けられ、ＬＣＤ銘板４の下には空気調和機Ｂの運転状態を表示する液晶表示部８が設けられて、その下部に空気調和機の運転停止を行う入／切ボタン９と、湿度を調整する湿度ボタン１０と、温度を調整する温度ボタン１１とが横方向に並列して設けられている。
【００１０】
ＬＣＤ銘板４の下部に設けられた扉２０上には簡単タイマーなどの操作部である第一操作部２０ａが設けられており、扉２０下のスイッチ銘板３０には扉２０を開けたときに操作可能なリアル時刻タイマーなどの操作部である第二操作部３０ａが設けられている。扉２０の表面の第一操作部２０ａには、その上部位置に冷房運転を行う冷房ボタン２１と、除湿運転を行う除湿ボタン２２と、暖房運転を行う暖房ボタン２３とが横方向に設けられ、その下部にプラズマ空清換気運転を行うプラズマ空清換気ボタン２４が、さらにその下部には酸素サプリ運転を行う酸素サプリボタン２５が設けられている。酸素サプリボタン２５の下部には、簡単入タイマー運転を行う簡単入タイマーボタン２６と、簡単切タイマー運転を行う簡単切タイマーボタン２７が横方向に設けられている。
【００１１】
扉２０下の第二操作部３０ａには、三列に分けてボタンが配設され、一方の端列には上部より下部側に向って、便利除湿運転を行う除湿ボタン３１、ハイパワー運転を行うハイパワーボタン３２、ねむり運転を行うねむりボタン３３及び内部乾燥運転を行う内部乾燥ボタン３４が設けられている。また、中央列には、上部より下部側に向って、風速の調節を行う風速ボタン３５、上下風向の調節を行う風上下ボタン３６、左右風向の調節を行う風左右ボタン３７及び空気調和機Ｂの表示内容を切り換えるモニター切換ボタン３８が設けられている。
【００１２】
さらに、他方の端列には上部より下部側に向って、切リアル時刻タイマーを設定し解除する切タイマーボタン３９、入リアル時刻タイマーを設定し解除する入タイマーボタン４０、リアル時刻タイマー及び現在時刻の時刻をカウントアップさせる時間すすむボタン４１及びリアル時刻タイマー及び現在時刻の時間をカウントダウンさせる時間もどるボタン４２が設けられている。これらの各ボタンの下部には、横方向に、空気調和機の最大消費電力を調節する電流切換ボタン４３と、体感運転の切入を行う体感切入ボタン４４と、遠隔操作装置を初期化するリセットボタン４５と、現在時刻の変更、設定許可及び設定完了を行う時刻ボタン４６とが設けられている。
【００１３】
このように、リアル時刻タイマーを有する遠隔操作装置Ａにおいて、簡単切タイマーと簡単入タイマーの両タイマーを有しているが、簡単タイマーとリアル時刻タイマーの組み合わせにおいて、組み合わせるタイマーが、簡単切タイマーと切リアル時刻タイマーのように同じ動作の場合、先に設定されたタイマーは設定解除となり、後に設定したタイマーのみが設定されるようにしてある。
【００１４】
また、簡単入タイマーと切リアル時刻タイマー、簡単切タイマーと入リアル時刻タイマー、簡単入タイマーと簡単切タイマー、または入リアル時刻タイマーと切リアル時刻タイマーを組み合わせて設定可能なタイマーを構成している。
さらに、簡単入タイマーの動作時の表示は、現在時刻を基準にして、例えば１時間後入など経過後の時間表示を行い、リアル時刻タイマー表示は、例えば午後１時２０分に運転を開始するなど実時間での表示を行うタイマーを有している。
【００１５】
次に、動作について説明する。遠隔操作装置Ａによって簡単タイマーを設定するときは、まず、図２に示す入／切ボタン９をＯＮし、冷房ボタン２１、除湿ボタン２２、暖房ボタン２３などのいずれかを押して運転を開始し、扉２０表面に設けた第一操作部２０ａの簡単入タイマーボタン２６あるいは簡単切タイマーボタン２７を押していくと、液晶表示部８に、簡単切タイマー２７であれば１時間後切、２時間後切などのタイマー時間表示が変化して表示され、さらに押すと、タイマーが解除される。タイマー設定時間は、１時間単位に限らず、０．５時間単位などでもよい。簡単入タイマーなら、１時間後入、２時間後入などタイマー時間表示が変化し、さらに押していくと、タイマーが解除される。タイマー設定時間は、１時間単位に限らず０．５時間単位など、任意に設定してもよい。なお、簡単入タイマーに関しては、停止状態においても、簡単入タイマーボタン２６を押すことにより、簡単入タイマーの設定を行うことができる。
【００１６】
リアル時刻タイマーを設定する場合は、まず最初に、図３に示す第二操作部３０ａの時刻ボタン４６を押して現在時刻設定状態とした後、時間すすむボタン４１又は時間もどるボタン４２を押して、現在時刻を合わせた後、再度、時刻ボタン時刻４６を押して現在時刻を決定する。次に、切リアル時刻タイマーを設定する場合は、入／切ボタン９をＯＮし、冷房ボタン２１、除湿ボタン２２、暖房ボタン２３などを押して運転を開始した後、第二操作部３０ａの切タイマーボタン３９を押し、時間すすむボタン４１又は時間もどるボタン４２を押してタイマー時刻を調節する。
【００１７】
時間すすむボタン４１を押すと、タイマー時間が１０分単位でカウントアップし、時間すすむボタン４１を１秒間長押しすると、カウントアップが早送りとなる。時間もどるボタン４２を押すと、タイマー時間が１０分単位でカウントダウンし、時間もどるボタン４２を１秒間長押しすると、カウントダウンが早送りとなる。カウントアップ、カウントダウンの単位は、１分や２０分など任意で設定してもよい。リアル時刻タイマーの設定時間の確定は、時間すすむボタン４１あるいは時間もどるボタン４２を操作後、１０秒間放置することで確定する。こうして、例えば、午後１時２０分に運転などのように、実時間での表示を行う。なお、入リアル時刻タイマーに関しては、停止状態にあっても、入タイマーボタン４０を押すことにより、入リアル時刻タイマー設定を行うことができる。
【００１８】
簡単入タイマーと切リアル時刻タイマーは同時に設定することが可能で、現在時刻が午前０：００、簡単入タイマー時間が４時間後入、切リアル時刻タイマー時刻が午前６：００のときは、液晶表示部８に図４に示すように表示される。
【００１９】
簡単切タイマーと入リアル時刻タイマーは同時に設定することが可能で、現在時刻が午前０：００、簡単切タイマー時間が６時間後切、入リアル時刻タイマー時刻が午前４：００のときは、液晶表示部８に図５に示すように表示される。
【００２０】
簡単入タイマーと簡単切タイマーは同時に設定することが可能で、簡単入タイマー時間が４時間後入、簡単切タイマー時間が６時間後切のときは、液晶表示部８に図６に示すように表示される。
【００２１】
入リアル時刻タイマーと切リアル時刻タイマーは同時に設定することが可能で、液晶表示８は現在時刻が午前０：００、入リアル時刻タイマー時刻が午前４：００、切リアル時刻タイマー時刻が午前６：００のときは、液晶表示部８に図７に示すように表示される。
【００２２】
リアル時刻タイマーを搭載している遠隔操作装置Ａにおいて、従来の装置によれば、タイマーを使用するためには現在時刻を設定しなければならないなど複雑な操作が必要であったが、本発明によれば、簡単切タイマー、簡単入タイマーを搭載したので、複雑な現在時刻を設定しなくても、簡単切タイマーボタン２７または簡単入タイマーボタン２６を押すだけで、簡単に切タイマー、入タイマーを設定することができる。
【００２３】
また、本発明によれば、簡単タイマーとリアル時刻タイマーの組み合わせいて、組み合わせるタイマーが簡単切タイマーと切リアル時刻タイマーなど同じ動作の場合、先に設定されたタイマーは設定解除となり、後に設定したタイマーのみが設定されるタイマーを搭載することにより、簡単切タイマーがタイムアップして空気調和装置Ｂが停止した後に、空気調和装置Ｂが停止しているにもかかわらず、切リアル時刻タイマーがタイムアップする不具合を防止することができる。
【００２４】
さらに、本発明によれば、空気調和装置Ｂを大まかな時間で運転させ、何時何分かに停止させたいときは、簡単入タイマーと切リアル時刻タイマーを使用し、空気調和装置Ｂを大まかな時間で停止させ、何時何分かに運転させたいときは、簡単切タイマーと入リアル時刻タイマーを使用する。また、空気調和装置Ｂを大まかな時間で運転、停止をしたい場合は、簡単入タイマーと簡単切タイマーを使用し、空気調和装置Ｂを何時何分かに運転、停止させたいときは、入リアル時刻タイマーと切リアル時刻タイマーを使用することが可能であるため、タイマー使用条件に適応したタイマーの組み合わせを選択することができる。
【００２５】
また、本発明によれば、簡単タイマーの動作時の表示は、現在を基準にして、１時間後入のような経過後の時間表示を行い、リアル時刻タイマー表示は、午後１：２０に停止のような実時間での表示を行うことにより、簡単タイマーの場合は現在を基準にタイマーが働く時間を認識でき、リアル時刻タイマーの場合はタイマーが働く時刻を認識することができる。
【００２６】
さらに、簡単タイマーの操作部は扉２０上のような第一操作部２０ａにあり、リアル時刻タイマーの操作部は扉２０を開けたときに操作可能な第二操作部３０ａに配置しており、簡単タイマーは複雑な時刻設定が必要なく簡単にタイマーが設定できることから、第一操作部２０ａに配置することで一目でボタン位置が分かり、操作しやすい。また、リアル時刻タイマーは、これを使用するためには、複雑な時刻設定が必要なことから、第二操作部３０ａに配置することで、無意識の操作による不具合を防止することができる。
【図面の簡単な説明】
【００２７】
【図１】本発明の一実施の形態における空気調和機とその遠隔操作装置を示す説明図である。
【図２】図１の遠隔操作装置の正面図及びその側面図である。
【図３】図２の遠隔操作装置の扉を開けたときの正面図である。
【図４】簡単入タイマーと切リアル時刻タイマーを組み合わせたときの液晶表示部の説明図である。
【図５】簡単切タイマーと入リアル時刻タイマーを組み合わせたときの液晶表示部の説明図である。
【図６】簡単入タイマーと簡単切タイマーを組み合わせたときの液晶表示部の説明図である。
【図７】入リアル時刻タイマーと切リアル時刻タイマーを組み合わせたときの液晶表示部の説明図である。
【符号の説明】
【００２８】
２０  扉、２０ａ  第一操作部、２６  簡単入タイマーボタン、２７  簡単切タイマーボタン、３０ａ  第二操作部、３９  切タイマーボタン、４０  入タイマーボタン、Ａ  遠隔操作装置、Ｂ  空気調和機。
【図１】
2006084146.tif 000003
【図２】
2006084146.tif 000004
【図３】
2006084146.tif 000005
【図４】
2006084146.tif 000006
【図５】
2006084146.tif 000007
【図６】
2006084146.tif 000008
【図７】
2006084146.tif 000009